(57)【要約】    【課題】スチルビデオカメラにおいて、ストロボ撮影条件でも最適なホワイトバランス調整が行えるようにする。    【解決手段】レリーズスイッチ半押しでの撮像データに基づいて、非ストロボ撮影条件での赤色と青色のゲイン制御信号ＧＲ０及びＧＢ０を設定し（Ｓ１〜Ｓ３）、ストロボ撮影時は、前記ゲイン制御信号ＧＲ０及びＧＢ０に撮影距離と輝度の重み付けＫ１，Ｋ２の積Ｋ１．Ｋ２を重み付けとした加重平均処理を行って、ゲイン制御信号ＧＲ及びＧＢを設定する（Ｓ４→Ｓ６，Ｓ７）。【選択図】  図３
2004166310.tif 000002
【特許請求の範囲】
【請求項１】
本撮影前に撮像素子に撮像された被写体撮像データに基づいて、ホワイトバランスの調整量を決定するスチルビデオカメラのホワイトバランス調整装置において、
前記被写体撮像データに基づいてストロボ光を発光させた撮影を行うか否かを判断するストロボ撮影判断手段と、
前記ストロボ撮影判断手段により、ストロボ光を発光させた撮影を行うと判断されたときに、ストロボ光の色温度と色度との関係と、前記被写体撮像データにおける被写体照明光の色温度と色度との関係と、に基づいて、本撮影時に用いるホワイトバランス調整用のゲイン制御信号を形成するゲイン制御信号形成手段と、
を含んで構成したことを特徴とするスチルビデオカメラのホワイトバランス調整装置。
【請求項２】
前記ゲイン制御信号形成手段は、被写体とカメラとの距離に応じて、ストロボ光に対応するゲイン制御信号と、被写体撮像データにおける被写体照明光に対応するゲイン制御信号と、の重み付けを変えてホワイトバランス調整用のゲイン制御信号を形成することを特徴とする請求項１に記載のスチルビデオカメラのホワイトバランス調整装置。
【請求項３】
前記ゲイン制御信号形成手段は、被写体撮像データの輝度レベルに応じて、ストロボ光に対応するゲイン制御信号と、被写体撮像データにおける被写体照明光に対応するゲイン制御信号と、の重み付けを変えてホワイトバランス調整用のゲイン制御信号を形成することを特徴とする請求項１又は請求項２に記載のスチルビデオカメラのホワイトバランス調整装置。            
【発明の詳細な説明】
【技術分野】
【０００１】
本発明は、本撮影前に撮像素子に撮像された被写体撮像データに基づいて、ホワイトバランスを調整するスチルビデオカメラのホワイトバランス調整装置に関する。
【背景技術】
【０００２】
近年、被写体の光画像を、撮像レンズ，絞り等の光学撮像系を介してＣＣＤ等の固体撮像素子に結像させ、該撮像素子により光電変換されて出力される電気画像信号を、記録媒体に記録するように構成されたスチルビデオカメラが実用化されている。
この種のスチルビデオカメラでは、被写体の照明光による光の波長分布の違いを補正するため、Ｒ（赤） ，Ｂ（青） ，Ｇ（緑） の三原色成分の量が等量ずつとなるように、色成分のゲインを制御してホワイトバランス調整を行っている。前記ホワイトバランス調整としては、例えば、Ｇのゲインを一定のまま、ＲとＢのゲインを変えていって、色差信号Ｒ−Ｙ，Ｂ−Ｙ（Ｙ；輝度信号) の積分値が０となるように、ＲとＢのゲインをフィードバック制御して決定する方式が知られる（特許文献１参照）。
【０００３】
この方式は、一般的な被写体の撮影画像では、各色成分（Ｒ，Ｂ，Ｇ） が均等に混在するため、画像全体の色差信号を平均化した値は、無彩色の被写体を撮影した画像と等価となり、被写体照明の色温度が変化すると、画像全体の色成分量が色温度変化の範囲内で変化するという経験則を利用したものである。
一方、前記のようなフィードバック方式では、ゲイン決定の演算に時間を要するため、予め、代表的な複数の被写体照明光に対応してそれぞれの色温度に応じたホワイトバランス調整用のゲインを求めておき、各ゲインで調制御して得られる画像の中で最もホワイトバランスが良好な画像のゲインを、本撮影用のゲインとして決定するようにしたものもある。
【特許文献１】特開昭６３−１３３３５１号公報
【発明の開示】
【発明が解決しようとする課題】
【０００４】
ところで、前記のように、撮像データに基づいてホワイトバランス調整用のゲインを決定しても、ストロボ撮影（ストロボを発光させての撮影) が行われた場合には、ストロボ発光されない状態での撮像データに基づくゲインでホワイトバランス調整が行われるため、良好なホワイトバランス調整が行われないという問題がある。このため、ストロボ撮影を行うときには、ストロボ光の色温度と色度の関係に応じて決定したゲインでホワイトバランス調整を行うようにしたものがあるが、実際には、被写体はストロボ光以外の光も受けているので、必ずしも良好なホワイトバランス調整が行われていない。
【０００５】
本発明は、このような従来の課題に鑑みなされたもので、ストロボ撮影条件でも、最適なホワイトバランス調整が行えるようにすることを目的とする。
【課題を解決するための手段】
【０００６】
このため、請求項１に係る発明は、図１に示すように、
本撮影前に撮像素子に撮像された被写体撮像データに基づいて、ホワイトバランスの調整量を決定するスチルビデオカメラのホワイトバランス調整装置において、
前記被写体撮像データに基づいてストロボ光を発光させた撮影を行うか否かを判断するストロボ撮影判断手段と、
前記ストロボ撮影判断手段により、ストロボ光を発光させた撮影を行うと判断されたときに、ストロボ光の色温度と色度との関係と、前記被写体撮像データにおける被写体照明光の色温度と色度との関係と、に基づいて、本撮影時に用いるホワイトバランス調整用のゲイン制御信号を形成するゲイン制御信号形成手段と、
を含んで構成したことを特徴とする。
【０００７】
このようにすれば、ストロボ撮影時は、ストロボ光と撮像データに基づいて得られたストロボ光以外の被写体照明光との双方の色温度と色度との関係に基づいて、形成されたゲイン制御信号を用いて、最適なホワイトバランス調整を行うことができる。
また、請求項２に係る発明は、前記ゲイン制御信号形成手段は、被写体とカメラとの距離に応じて、ゲイン制御信号と、被写体撮像データにおける被写体照明光に対応するゲイン制御信号と、の重み付けを変えてホワイトバランス調整用のゲイン制御信号を形成することを特徴とする。
【０００８】
このようにすれば、被写体とカメラとの距離が近いときほど、ストロボ光の被写体への受光量が多くなるのでストロボ光によるゲイン制御信号の重みを大きくすることで、ストロボ光と、それ以外の被写体照明光との影響度を適切に反映したゲイン制御信号が形成される。
また、請求項３に係る発明は、前記ゲイン制御信号形成手段は、被写体撮像データの輝度レベルに応じて、ストロボ光に対応するゲイン制御信号と、被写体撮像データにおける被写体照明光に対応するゲイン制御信号と、の重み付けを変えてホワイトバランス調整用のゲイン制御信号を形成することを特徴とする。
【０００９】
このようにすれば、撮像データの輝度が小さく、ストロボ未発光時の被写体照明が暗いときほど、ストロボ光の受光割合が相対的に大きくなるので、ストロボ光によるゲイン制御信号の重みを大きくすることで、ストロボ光と、それ以外の被写体照明光との影響度を適切に反映したゲイン制御信号が形成される。
【発明を実施するための最良の形態】
【００１０】
以下に本発明の実施の形態を説明する。
図２は、本発明に係る自動合焦装置が適用されるスチルビデオカメラのハードウェア構成を示す。
図において、撮像レンズ１０１，フォーカスレンズ１０２，アイリス絞り１０３等を備えた光学撮像系を介して得られた被写体の光画像は、固体撮像素子例えばＣＣＤ１０４上に結像される。前記フォーカスレンズ１０２及びアイリス絞り１０３は、レンズ駆動回路１２１及びアイリス駆動回路１２０により夫々駆動される。
【００１１】
前記ＣＣＤ４では結像された光画像を光電変換して電荷量に変換し、ＣＣＤ駆動回路７からの転送パルスによってアナログ電気画像信号として出力する。ＣＣＤ４から出力されたアナログ電気画像信号は、ＣＤＳ（相関二重サンプリング)回路でノイズが低減され、また、ＡＧＣによりゲイン（利得) の調整が行われる。そして、Ａ／Ｄ変換器１０６でデジタル画像信号に変換された後、プロセス回路１０９で輝度処理や色処理が施されてデジタルビデオ信号（例えば、輝度信号と色差信号） に変換される。
【００１２】
尚、メインＣＰＵ１１０は各部の動作の制御を行っており、発光回路１１５によって駆動されるストロボ１１６は撮影時に発光するように制御される。また、ＡＥ（自動露出制御) ，ＡＷＢ（ホワイトバランス調整) ，ＡＦ（自動焦点制御) 処理は、全て撮像面のデータを用いてメインＣＰＵ１１０の制御により行う。これらの処理はプロセス回路１０７がデータを供給してやり、メインＣＰＵ１１０が演算処理を行い、絞り駆動回路１２０、レンズ駆動回路１２１、及びＣＣＤ駆動回路１２５、プロセス回路１０７内の色処理回路を制御することで行う。また、メインＣＰＵ１１０は操作パネル１３０の各種スイッチ（電源スイッチ，レリーズスイッチ，再生スイッチ等) の操作状態に応じて各部を制御し、また、必要な情報を液晶表示部１３１に表示する。
【００１３】
尚、ここでは、メインＣＰＵ１１０がスチルビデオカメラ全体を制御する場合を示したが、サブＣＰＵとメインＣＰＵとで分担する構成としてもよい。
このデジタルビデオ信号を記録する際は、圧縮伸長回路１０８においてデータ圧縮が行われる。そして、記録再生回路１０９によって、ＳＲＡＭやフラッシュメモリ等で構成されたメモリカード１１１に記録される。
【００１４】
再生する際は、メモリカード１１１に記憶されているデジタルビデオ信号の圧縮データが記録再生回路１０９によって読みだされる。そして圧縮伸長回路１０８において圧縮データの伸長が行われ、元のサイズのデジタルビデオ信号に戻される。そして、Ｄ／Ａ変換器１１２でアナログのビデオ信号に変換されて、出力回路１１３で所定のレベルのビデオ信号として外部の機器に出力される。
【００１５】
また、スルー再生の際は、プロセス回路１０７からＤ／Ａ変換器１１２にデジタルビデオ信号が直接送られ、ＣＣＤ１０４で撮像した映像がリアルタイムでビデオ信号として外部に出力され続ける。
次に、本発明のストロボ撮影に対応した実施の形態について説明する。ストロボ光は、前記昼光や白熱灯などの標準照明光及び蛍光灯灯の特殊照明光ＣＷＦとは異なる色温度と色度の関係を有している。この点を考慮して、ストロボ光の色温度と色度との関係に応じたゲイン制御信号を設定して、ストロボ撮影時には、該ストロボ光専用のゲイン制御信号を用いて撮影するようにしたものが提案されている。
【００１６】
しかし、実際には、ストロボ撮影時でも被写体はストロボ光以外に被写体周囲の光を受けているので、前記のようにストロボ光の特性のみに応じたゲイン制御信号を用いると、必ずしも良好なホワイトバランス調整が行われない。そこで、本実施の形態では、ストロボ撮影時は、ストロボ光と撮像データに基づいて得られたストロボ光以外の被写体照明光との双方の色温度と色度との関係に基づいて、ホワイトバランス調整用のゲイン制御信号を決定する。
【００１７】
本実施の形態の具体的な制御を、図３のフローチャートに従って説明する。
ステップ１では、前記レリーズスイッチを半押されたか否かを判別し、半押しされた場合にはステップ２へ進んで、被写体をＣＣＤ１０４に撮像する。
ステップ３では、前記ＣＣＤ１０４からのストロボが発光されていない状態での被写体照明光に応じた撮像データに基づいて、Ｒ，Ｂのゲイン制御信号の値ＧR0、ＧB0を、以下のように設定する。
【００１８】
第１の例では、完全放射体の色温度と色度との関係に近い関係を有する複数の標準照明光としてＤ75（昼光） , Ｄ50, ＩＮＣ（白熱灯） 、と、前記関係からのずれが大きく緑がかった光を発する特殊照明光とてＣＷＦ（蛍光灯） について、予め、これら照明光の色温度に応じたホワイトバランス調整用のゲイン制御信号の値をメモリに記憶して用意しておく。該ゲイン制御信号の各値は、図４に示すような色温度とＲ，Ｂのゲイン制御信号値との関係から求められる（Ｄ75：□、Ｄ50：〇、ＩＮＣ：△、ＣＷＦ：×） 。
【００１９】
図５は、非ストロボ撮影条件での第１の例によるＲ，Ｂのゲイン制御信号の値ＧR0、ＧB0設定の詳細を示す。
ステップ１１では、得られた撮像データに対して、前記各照明光のゲイン制御信号によってＲ，Ｂ成分のゲインを制御する。ここで、Ｒ，Ｂ成分についてだけゲイン制御するのは、各照明光の色温度に対してＲ，Ｂ，Ｇの比率が決まっているので、Ｇ成分を一定としてＲ，Ｂ成分を変えるだけで、Ｒ，Ｂ，Ｇの比率を１：１：１とするようにホワイトバランス調整を行えるためである。
【００２０】
ステップ１２では、前記標準照明光Ｄ75, Ｄ50, ＩＮＣの中で、最もホワイトバランスが良好なものを選択する。ここで、最もホワイトバランスが良好となる照明光が、これら標準照明光の中では、現在の被写体照明光に最も近いことになる。ここで、ホワイトバランスの良否の判定は、前記ゲイン制御を行った撮像データについて、Ｒ成分とＢ成分とが最も均等であるものが、ホワイトバランスが最も良好であるとして判定する。即ち、前記したように、各照明光のゲイン制御信号は、Ｒ，Ｂ，Ｇの比率を１：１：１とするように設定されているから、実際の照明光に近い照明光のゲイン制御信号で制御すれば、ＲとＢの比率が１：１に近づけられるのである。尚、具体的な判別方法としては、図６に示すように、Ｒ−Ｂの軸に対してＲ＞Ｂである画素とＲ＜Ｂである画素とをそれぞれカウントしていって、両画素数の比率を求め、最も１：ｌに近いものを選択する。尚、Ｒ−Ｂ＝（Ｒ−Ｙ) −（Ｂ−Ｙ) であり、色差信号（Ｒ−Ｙ) と（Ｂ−Ｙ) が得られているので、各画素について色差信号（Ｒ−Ｙ) ，（Ｂ−Ｙ) の差の正負で、Ｒ成分が多い画素とＢ成分が多い画素とに判別することができ、両者の画素数をカウントして比率を求めればよい。
【００２１】
しかし、この判定だけでは、特殊照明光ＣＷＦである可能性が残されているので、以下にその判別を行う。
ステップ１３では、前記標準照明光の中で最もホワイトバランスが良好であったものと、特殊照明光ＣＷＦでゲイン制御した場合の撮像データとを比較し、ステップ１４で、ホワイトバランスが良好である方の照明光を選択する。具体的には、前記特殊照明光ＣＷＦ（蛍光灯） は、標準照明光に比較してＧ成分が多いことを利用する。即ち、図４に×印で示すように、特殊照明光ＣＷＦに対応するゲイン制御信号は、該特殊照明光ＣＷＦ下での緑がかった画像を白く補正するように、該Ｇ成分の増大分を相殺すべく、標準照明光の同一色温度のゲイン制御信号に比較してＲゲイン制御信号，Ｂゲイン制御信号共に大きい値に設定されている。
【００２２】
したがって、実際の被写体照明光が特殊照明光ＣＷＦであれば、特殊照明光ＣＷＦに対応するゲイン制御信号でゲイン制御された画像は、Ｇ成分とその補色であるＭｇ（マゼンタ) 成分とが均等であるが、標準照明光のゲイン制御信号でゲイン制御された画像では、その中では最もホワイトバランスが良好な画像でも、相対的にＧ成分が多くなり、Ｍｇ成分が少なくなる。逆に、実際の被写体照明光が標準照明光であるときは、該標準照明光に対応するゲイン制御信号でゲイン制御された画像は、Ｇ成分とＭｇ成分とが均等であるが、特殊照明光ＣＷＦのゲイン制御信号を用いてゲイン制御を行うと、Ｇ成分を打ち消すようにＲ，Ｂのゲインが強められる結果、相殺的にＧ成分が少なくなり、Ｍｇ成分が多くなる。
【００２３】
そこで、前記選択された標準照明光のゲイン制御信号でゲイン制御した画像と、特殊照明光ＣＷＦでゲイン制御した画像とについてＭｇ，Ｇ成分の比を比較する。具体的には、図７において、Ｍｇ−Ｇ＝（Ｒ−Ｙ) ＋（Ｂ−Ｙ) で表されるので、色差信号（Ｒ−Ｙ) ，（Ｂ−Ｙ) の和の正負を判別することによって、画素毎にＭｇ成分が多い画素とＧ成分が多い画素とに判別でき、両者の画素数の比率を求めることができる。
【００２４】
そして、選択された標準照明光でゲイン制御したときのＭｇ成分とＧ成分との比率が１：１に近く、特殊照明光でゲイン制御したときにはＭｇ成分の比率が相対的に高い場合は、被写体照明光は該選択された標準照明光に近い照明光であると判断し、該標準照明光のゲイン制御信号を、本撮影時のホワイトバランス調整用のゲイン制御信号ＧR0，ＧB0として選択する（ステップ１５）。
【００２５】
一方、特殊照明光でゲイン制御したときのＭｇ成分とＧ成分との比率が１：１に近く、標準照明光でゲイン制御したときにはＧ成分の比率が相対的に高い場合は、被写体照明光が特殊照明光である可能性があるが、後述するような撮影状況では標準照明光である可能性も残されているため、ステップ１６へ進んで、その判別を行う。
即ち、屋外で特に草木等の緑の多い場所で撮影を行う場合は、該画像の各色成分を混合した色は無彩色とはならず、Ｇ成分の多い画像となる。したがって、該撮影時の照明光に対応した標準照明光Ｄ75などのゲイン制御信号を用いてゲイン制御した場合の画像について、前記Ｍｇ成分とＧ成分との比率を求めるとＧ成分が多い比率となり、この画像に対して特殊照明光ＣＷＦのゲイン制御信号でゲイン制御を行うと、Ｇを打ち消す機能によりＭｇとＧとの比率が１：ｌに近い値となり、前記ステップ１４の判別方式では正しい判別が行えない。
【００２６】
そこで、このような屋外での昼光照明が蛍光灯等の特殊照明光ＣＷＦに比較して、十分に輝度が高いことに着目し、撮像データの輝度を比較して判別を行う。即ち、撮像データの輝度が所定レベル以上と判断されたときには、前記昼光照明下での緑の多い場所での撮影状況であると判断して、ステップ１５へ進み前記ステップ１２で選択された標準照明光のゲイン制御信号を本撮影時のホワイトバランス調整用のゲイン制御信号ＧR0，ＧB0として決定する。
【００２７】
また、ステップ１６で撮像データの輝度が所定レベル未満と判断されたときには、輝度の低い蛍光灯等の特殊照明光ＣＷＦでの撮影状況であると判断して、ステップ１７へ進み、該特殊照明光ＣＷＦのゲイン制御信号を本撮影時のホワイトバランス調整用のゲイン制御信号Ｒ0，Ｂ0として決定する。なお、既述したように、標準照明光と特殊照明光ＣＷＦとの判別を、標準照明光の中での判別と同様にゲイン制御後の撮像データにおけるＲ成分とＢ成分との比率で判別しようとしても、特殊照明光ＣＷＦではＧ成分の増大分を打ち消すように、ＲとＢのゲイン制御信号が均等に増大して設定されているので、該特殊照明光ＣＷＦと、色温度の近い標準照明光とで、撮像データにおけるＲとＢの比率は変わらないことになり、区別することができない。
【００２８】
したがって、上記のようにＭｇとＧとの比率で判別することで、特殊照明光ＣＷＦの可能性を求め、更に、輝度による判別で緑の多い特殊な撮影状況との判別も良好に行え、比較的少ない演算処理で照明光を精度良く判別して良好なホワイトバランス調整を行うことができる。また、特殊照明光ＣＷＦの判別は、フリッカーを検出することにより行えるので、それを用いる構成とすることができる。
【００２９】
なお、前記複数の標準照明光の中から選択されたゲイン制御信号の色温度が特殊照明光ＣＷＦの色温度と大きく離れている場合には、特殊照明光ＣＷＦとの比較を行うことなく、該選択された標準照明光のゲイン制御信号を本撮影時のホワイトバランス調整用のゲイン制御信号と決定するようにしてもよい。例えば、ＩＮＣではＲとＢの大小関係が、特殊照明光ＣＷＦのＲとＢとの大小関係と逆になっているので、該ＩＮＣが選択されたときは、そのまま本撮影時用のゲイン制御信号として決定することが可能である。
【００３０】
また、屋外で緑の多い撮影状況と判断されたときに、そのときのフィードバック補正されたＲ, Ｂのゲイン制御信号ＧRG, ＧBGに対して、ＧRG−ＧR ＝ＧBG−ＧB となるような、標準照明光におけるＲ, Ｂのゲイン制御信号ＧR,ＧB を本撮影時用のゲイン制御信号ＧR0，ＧB0としてもよい。
次に、非ストロボ撮影条件でのＲ，Ｂのゲイン制御信号の値ＧR0、ＧB0設定の第２の例を説明する。
【００３１】
第２の例は、ゲイン制御信号をフィードバック補正しつつホワイトバランス調整する方式に適用したものである。既述したように、該フィードバック制御方式では、例えば、色差信号（Ｒ−Ｙ），（Ｂ−Ｙ）の積分値が０になるように、ＲとＢのゲインをフィードバック制御するものが知られている。かかるフィードバック制御方式では、制御幅を制限しなければ、任意の画像に対して全体の平均値が無彩色となるようにホワイトバランス調整が行われるので、特殊照明光ＣＷＦのようにＧ成分の多い照明光での撮影画像でも、良好なホワイトバランス調整が行える。
【００３２】
しかし、前記第１の例で説明したように、昼光下で緑の多い場所を撮影した場合等に、前記のように自動的にホワイトバランス調整が行われてしまうと、平均的にＧ成分の多い画像を白く修正するように調整されるため、緑色部分は薄白くあせ、本来白い部分は緑色の補色である紫（マゼンタ）がかった画像となってしまう。これを防止するため、Ｒ，Ｂのゲインを制限すると、今度は前記特殊照明光ＣＷＦ下で撮影画像が緑がかった画像となってしまう。
【００３３】
そこで、第２の例では特殊照明光ＣＷＦでのホワイトバランス調整をも可能にＲ，Ｂのゲイン制御信号をフィードバック制御する一方、該特殊照明光ＣＷＦ下での撮影と、前記昼光下で緑の多い場所での撮影と、を区別し、後者の場合には、本撮影時のホワイトバランス調整用としてフィードバック補正されたゲイン制御信号を用いず、昼光照明に対応したゲイン制御信号を用いるようにする。
【００３４】
図８は、非ストロボ撮影条件での第２の例によるＲ，Ｂのゲイン制御信号の値ＧR0、ＧB0設定の詳細を示す。
即ち、ステップ２１では、前記第１の例と同様にしてＲとＢとの大小、ＭｇとＧとの大小を判別し、これら大小関係の組み合わせに応じて、Ｒ，Ｂのゲイン制御信号を初期値に対してフィードバック補正する。具体的には、前記実施の形態同様に色差信号（Ｒ−Ｙ) ，（Ｂ−Ｙ) の差の正負によってＲとＢとの大小を判別し、色差信号（Ｒ−Ｙ) ，（Ｂ−Ｙ) の和の正負によってＭｇとＧとの大小を判別する。
【００３５】
そして、Ｒ＞ＢかつＭｇ＞ＧのときはＲのゲイン制御信号を減少させ、Ｒ＞ＢかつＭｇ＜ＧのときはＢのゲイン制御信号を増大させ、Ｒ＜ＢかつＭｇ＞ＧのときはＢのゲイン制御信号を減少させ、Ｒ＜ＢかつＭｇ＜ＧのときはＲのゲイン制御信号を増大させる補正を行い、該補正によって大小関係が反転したら、該大小関係に応じてより細かく補正を行い、（Ｒ−Ｂ） ，（Ｍｇ−Ｇ） の絶対値が所定範囲内に入るまで前記補正を繰り返す。
【００３６】
前記絶対値が所定範囲に入ったらフィードバック補正を終了してステップ２２以降へ進み、該フィードバック補正されたＲとＢのゲイン制御信号に基づいて、被写体照明光が特殊照明光ＣＷＦであるか、又は、昼光で緑の多い場所であるかのいずれであるかを判定する。
具体的には、前記の両条件では、Ｇ成分の多い撮像データとなるため、標準照明光での通常撮影条件でのゲイン制御信号に比較して、Ｇ成分の増大分を補正すべくＲゲイン制御信号，Ｂゲイン制御信号共に増大した値となっている。そこで、まず、ステップ２２では、Ｒゲイン制御信号が所定値Ｒ1 以上あり、かつ、Ｂゲイン制御信号が所定値Ｂ1 以上あるか否かを判別し、該条件が満たされた場合は、前記いずれかの撮影条件であると判別する。
【００３７】
そして、ステップ２２で前記いずれの撮影条件でもないと判別された場合は、標準照明光下での通常の撮影条件であると判断し、ステップ２３へ進み、フィードバック補正されたＲ，Ｂのゲイン制御信号をそのまま本撮影時のホワイトバランス調整用のゲイン制御信号ＧR0，ＧB0として決定する。
一方、前記いずれかの撮影条件であると判別された場合は、ステップ２４へ進み、前記第１の例同様に撮像データの輝度が所定レベル以上か否かを判別し、所定レベル未満のときは、特殊照明光ＣＷＦ下の撮影条件であると判断し、その場合は、該緑がかった画像を補正してよいので、ステップ２３へ進み、フィードバック補正されたゲインＲ，Ｇのゲイン制御信号を、本撮影時のホワイトバランス調整用のゲイン制御信号ＧR0，ＧB0として決定する。
【００３８】
また、ステップ２４で撮像データの輝度が所定レベル以上と判別された場合は、昼光下での緑の多い場所の撮影条件であると判断し、この場合は、フィードバック補正されたゲイン制御信号でゲイン制御を行うと、緑の部分が薄白くあせ、白い部分が紫がかった画像となってしまう。このため、該条件ではステップ２５へ進んで、例えば昼光照明光としてＤ75の色温度に対応した前記図４のＲゲイン制御信号ＲD75 及びＢゲイン制御信号ＢD75 を、本撮影時のホワイトバランス調整用のゲイン制御信号ＧR0，ＧB0として使用するように切り換える。なお、本実施の形態では昼光としてＤ75を用いたが、Ｄ65やＤ50等を使用しても良い。
【００３９】
このようにすれば、標準照明光での通常の撮影条件では勿論のこと、蛍光灯のような緑がかった照明光下の撮影条件でも高精度なホワイトバランス調整が行われ、かつ、特に昼光下で緑の多いような場所を撮影したような特殊な撮影条件でも過剰なホワイトバランス調整を防止して本来の色に応じた適切なホワイトバランス調整が行われる。
以上のように、第１の例又は第２の例によって、非ストロボ撮影条件でのＲ，Ｂのゲイン制御信号の値ＧR0、ＧB0を設定した後、図３のステップ４へ進む。
【００４０】
ステップ４では、前記撮像データに基づいて輝度情報からストロボ撮影条件か否かを判別する。ストロボ撮影条件でないと判別された場合は、ステップ５へ進んで前記ステップ12で決定したゲイン制御信号ＧR0、ＧB0を、本撮影時のゲイン制御信号として決定する。
一方、ステップ４でストロボ照明撮影条件であると決定された場合は、ステップ６へ進んで、撮像データから被写体とカメラとの距離に応じた重み係数Ｋ１と、撮像データで得られた輝度に応じた重み係数Ｋ２とを、演算若しくはデータテーブルからの検索等によって求める。ここで、前記重み係数Ｋ１，Ｋ２は、前記ストロボ光以外の被写体照明光に応じたゲイン制御信号とストロボ光に応じたゲイン制御信号とを加重平均するときの重みの算出に用いられ、重み係数Ｋ１は、被写体とカメラとの距離が近いときほど、ストロボ光の被写体への受光量が多くなるのでストロボ光によるゲイン制御信号ＧR1, ＧB1の重みを大きくするように設定し、また、重み係数Ｋ２は、輝度が小さく暗いときほど、ストロボ光の受光割合が相対的に大きくなるので、ストロボ光によるゲイン制御信号ＧR1, ＧB1の重みを大きくするように設定する。
【００４１】
ステップ７では、前記重み係数Ｋ１，Ｋ２を用いて、ストロボ照明光の色温度と色度との関係から求めたゲイン制御信号ＧR1, ＧB1と、前記非ストロボ照明条件でのゲイン制御信号の値ＧR0、ＧB0と、を、次式のように加重平均して、本撮影時のホワイトバランス調整用のゲイン制御信号ＧR 、ＧB を決定する。
ＧR ＝Ｋ１・Ｋ２・ＧR1＋（１−Ｋ１・Ｋ２） ・ＧR0
ＧB ＝Ｋ１・Ｋ２・ＧB1＋（１−Ｋ１・Ｋ２） ・ＧB0
このようにすれば、ストロボ光とストロボ以外の照明光との影響度を反映してた形成したゲイン制御信号によって、ストロボ撮影時にも最適なホワイトバランス調整を行うことができる。
【図面の簡単な説明】
【００４２】
【図１】請求項１の発明の構成・機能を示すブロック図。
【図２】実施の形態におけるスチルビデオカメラのハードウェア構成を示すブロック図。
【図３】実施の形態におけるゲイン制御信号を決定するフローチャート。
【図４】各照明光の色温度とゲイン制御信号値との関係を示す図。
【図５】非ストロボ撮影条件でのゲイン制御信号設定の第１の例を示すフローチャート。
【図６】第１の例におけるＲとＢの成分量の大小関係を示す図。
【図７】第１の例におけるＭｇとＧの成分量の大小関係を示す図。
【図８】非ストロボ撮影条件でのゲイン制御信号設定の第２の例を示すフローチャート。
【符号の説明】
【００４３】
１   撮影レンズ
２   フォーカスレンズ
３   絞り
４   ＣＣＤ
５   レンズ駆動回路
６   アイリス駆動回路
７   ＣＣＤ駆動回路
８   Ａ／Ｄ変換器
９   プロセス回路
10   圧縮回路
11   記録回路
12   ＩＣカード
13   デジタルＡＦ評価器
14   メインＣＰＵ
【図１】
2004166310.tif 000003
【図２】
2004166310.tif 000004
【図３】
2004166310.tif 000005
【図４】
2004166310.tif 000006
【図５】
2004166310.tif 000007
【図６】
2004166310.tif 000008
【図７】
2004166310.tif 000009
【図８】
2004166310.tif 000010